(57)【特許請求の範囲】
【請求項１】
スピーカ及び電子回路が形成された基板等を内部に設置した本体ケースの前面に、前記スピーカから報音される音声を外部へ伝達するためのスピーカ孔が開設されているとともに、前記本体ケースの前面で前記スピーカ孔の周囲を覆うように化粧パネルを取り付けてなるインターホン機器における水抜き構造であって、
前記本体ケースの前面において、前記スピーカ孔の下端部から前記化粧パネルの下端縁が位置する第１位置にわたって排出溝を凹設するとともに、押し込み操作可能なボタンを収納して設置可能で、上面が前記第１位置と連続する設置凹部を設け、
さらに、前記設置凹部の上面に前記排出溝と連続する小溝を凹設するとともに、前記設置凹部の底部に、前記本体ケースの外方へ開通された排水孔を設けており、
前記スピーカ孔や前記本体ケースと前記化粧パネルとの隙間に溜まろうとする水を、前記排出溝を介して前記化粧パネルよりも下方へ導き、前記小溝によって前記設置凹部内へ引き込んだ後、前記排水孔を介して前記本体ケース外方へ排出可能としたことを特徴とするインターホン機器における水抜き構造。
【発明の詳細な説明】
【技術分野】
【０００１】
本発明は、たとえば来訪者が居住者を呼び出すためのインターホン子機等のインターホン機器における水抜き構造に関するものである。
【背景技術】
【０００２】
従来、インターホン機器において、たとえば玄関等の屋外に設置されるインターホン子機等には、スピーカ孔を介して本体ケース内へ雨水等の水滴が浸入し、呼出基板等の各種基板へ影響を及ぼすおそれがあることから、本体ケースの底面等に水抜き孔を開設し、本体ケース内へ浸入した水を本体ケース外へ排出可能に構成したものがある（たとえば、特許文献１）。
【０００３】
【特許文献１】実開平２−８１０８７号公報
【発明の開示】
【発明が解決しようとする課題】
【０００４】
しかしながら、上記従来の構成は、スピーカ孔を介して本体ケース内へ浸入した水の排出構造にすぎないため、水が水抜き孔へ到達する前に各種基板に触れて悪影響を与えるおそれがあることから、より高い防水性能、すなわちスピーカ孔を介しての本体ケース内への浸入防止機能が求められている。
また、近年、デザイン性の向上を目的として、本体ケースの前面、特にスピーカ孔の周囲を覆うように化粧パネルが設置されることがある。この場合、スピーカ孔や化粧パネルと本体ケース前面との隙間に水が滞留しやすいことから、水が本体ケース内へ浸入するおそれがより高くなり、上記水の浸入防止に係る対策がより求められる。
【０００５】
そこで、本発明は、上記課題に鑑みなされたものであって、化粧パネルを設置しているにも拘わらず、スピーカ孔を介して本体ケース内へ水が浸入する事態を効果的に防止可能なインターホン機器における水抜き構造を提供しようとするものである。
【課題を解決するための手段】
【０００６】
上記目的を達成するために、本発明のうち請求項１に記載の発明は、スピーカ及び電子回路が形成された基板等を内部に設置した本体ケースの前面に、スピーカから報音される音声を外部へ伝達するためのスピーカ孔が開設されているとともに、本体ケースの前面でスピーカ孔の周囲を覆うように化粧パネルを取り付けてなるインターホン機器における水抜き構造であって、本体ケースの前面において、スピーカ孔の下端部から化粧パネルの下端縁が位置する第１位置にわたって排出溝を凹設するとともに、押し込み操作可能なボタンを収納して設置可能で、上面が第１位置と連続する設置凹部を設け、さらに、設置凹部の上面に排出溝と連続する小溝を凹設するとともに、設置凹部の底部に、本体ケースの外方へ開通された排水孔を設けており、スピーカ孔や本体ケースと化粧パネルとの隙間に溜まろうとする水を、排出溝を介して化粧パネルよりも下方へ導き、小溝によって設置凹部内へ引き込んだ後、排水孔を介して本体ケース外方へ排出可能としたことを特徴とする。
この構成によれば、本体ケースの前面に、スピーカ孔の下端に連続して排出溝を設けており、当該排出溝によって、スピーカ孔や化粧パネルと本体ケースとの隙間に溜まろうとする水を化粧パネルよりも下方へ導くことができる。したがって、本体ケース内部への水の浸入を防止することができ、インターホン機器の防水性能を高めることができる。また、排出溝は化粧パネルによって覆われるため、インターホン機器のデザイン性が損なわれたりもしない。また、設置凹部の上面に排出溝と連続する小溝を凹設し、排出溝により導かれてきた水を小溝によって設置凹部内へ水を引き込むようにするとともに、設置凹部の底部に、本体ケースの外方へ開通された排水孔を設け、設置凹部内へ引き込んだ水を排水孔を介して本体ケース外方へ排出可能としている。したがって、化粧パネルの下方にボタンが設けられているような場合であっても、第１位置まで導かれてきた水をスムーズに設置凹部内へ導いた後、排水孔を介して確実に排出することができ、本体ケースと化粧パネルとの隙間に水が滞留する事態を確実に防止することができるし、防水性能の向上も図ることができる。
【発明の効果】
【０００８】
本発明によれば、本体ケースの前面において、スピーカ孔の下端部から化粧パネルの下端縁が位置する第１位置にわたって排出溝を凹設し、スピーカ孔や本体ケースと化粧パネルとの隙間に溜まろうとする水を、排出溝を介して化粧パネルよりも下方へ導くようにしているため、本体ケース内部への水の浸入を防止することができ、インターホン機器の防水性能を高めることができる。
【発明を実施するための最良の形態】
【０００９】
以下、本発明の一実施形態となるインターホン子機における水抜き構造について、図面をもとに説明する。
【００１０】
図１は、インターホン子機１の外観を示した斜視説明図である。また、図２は、インターホン子機１の前ケース２を前方側から示した斜視説明図であり、図３は、前ケース２を後方側から示した斜視説明図である。さらに、図４は、インターホン子機１のスピーカ３部分における左右方向での断面を下方から示した断面説明図である。
【００１１】
インターホン子機１は、玄関等に設置され、図示しないインターホン親機と通話可能に接続されてなるものであって、前ケース２と後ケース４とを組み付けてなる本体ケース５の内部空間に、カメラ（図示せず）等の撮像部材、スピーカ３やマイク（図示せず）等の通話部材、及び電子回路が形成された基板３ａ等が設置されている。また、前ケース２の前面には、３つの化粧パネル６ａ〜６ｃが取り付けられているとともに、インターホン親機を呼び出すために来訪者等が操作する呼出ボタン７が設置されている。さらに、本体ケース５の底面で、前ケース２と後ケース４との接合面には、切り欠き状の水抜き孔８、８・・が形成されている。尚、９は、化粧パネル６ａに開設されたマイク孔であり、１０は、化粧パネル６ｃに開設された報音孔である。
【００１２】
前ケース２は、後面に開口を有する浅底箱状のケース体であって、前面上部には、化粧パネル６ａを取り付けるための第１段部１１が、前面中央には、化粧パネル６ｂ、６ｃを取り付けるための第２段部１２が夫々形成されている。第１段部１１には、来訪者の声等を集音するための集音孔１３が開設されているとともに、一対の引き込み溝１４、１４が凹設されている。当該引き込み溝１４は、集音孔１３の下端両側縁から連続して下方へ設けられており、集音孔１３に溜まろうとする水を引き込んで下方へ流すようになっている。尚、１５は、本体ケース４内に設置されるカメラのレンズを露出するためのレンズ窓である。
【００１３】
また、第２段部１２には、図５に示す如く、報知孔１０と略同じ大きさに形成され、スピーカ３から報音された音声を外部へ伝えるためのスピーカ孔１６、１６・・が開設されているとともに、各スピーカ孔１６の下端に連続して排出溝１７が刻設されている。該排出溝１７は、スピーカ孔１６に溜まろうとする水を引き込んで下方へ流すためのものであって、各スピーカ孔１６の下端から第２段部１２の下端縁にわたって設けられている。そして、第２段部１２に化粧パネル６ｃを取り付けると、図６に示す如く、排出溝１７の前方は化粧パネル６ｃによって覆われるようになっている。尚、第２段部１２に化粧パネル６ｃを取り付けた際、第２段部１２の下端縁と化粧パネル６ｃの下端縁とは略一致するようになっている。また、前ケース２の背面側で、スピーカ孔１６、１６・・の近傍となる位置には、スピーカ３を設置するためのスピーカ設置部１８が設けられている。当該スピーカ設置部１８の下部は、第２段部１２よりも下方へ、すなわち後述する設置凹部１９内へ突出している。
【００１４】
さらに、前ケース２の前面下部には、呼出ボタン７を収納状態で設置するための設置凹部１９が、第２段部１２に連続して設けられており、第２段部１２と設置凹部１９との境界には、前方へ突出する段面２０が形成されている。該段面２０には、排出溝１７により第２段部１２の下端縁まで導かれた水を設置凹部１９内へ導くための小溝２１が、各排出溝１７と連続して凹設されている。また、設置凹部１９内には、呼出ボタン７を軸支するための軸支部２２、呼出ボタン７の押し込み操作を後方に配置されるスイッチへ伝えるための操作窓２３、設置凹部１９内に溜まる水を一旦本体ケース５内を通して水抜き孔８、８・・へ導くための開口部２４等が設けられている。尚、開口部２４は、前ケース２の下端部に設けられており、本体ケース４の底面近傍でのみ水の浸入を許容している。また、操作窓２３には、水の浸入を防止するための防水パッキン（図示せず）が取り付けられており、操作窓２３を介しての水の浸入を防止している。
【００１５】
以下、上述したような構成を有するインターホン子機１における水抜きについて説明する。
インターホン子機１は、図示しない取付台等を介して、前ケース２を正面側へ向けた姿勢で壁面等の取付対象面に設置される。当該インターホン子機１に対し、報音孔１０、１０・・を介して前ケース２側へ浸入した雨水等の水滴は、スピーカ孔１６、１６・・内に溜まろうとする。しかしながら、当該水滴は、各スピーカ孔１６の下端に連続して設けられた排出溝１７内へ引き込まれ、本体ケース５内へ浸入したり、化粧パネル６ａ後面と前ケース２前面との隙間に溜まったりすることなく、第２段部１２の下端縁まで導かれる。その後、水滴は、小溝２１、２１・・を介して設置凹部１９内へ導かれ、設置凹部１９内を下部まで流下した後、開口部２４、２４及び水抜き孔８、８・・を介してインターホン子機１外方へ排出される。
尚、マイク孔９を介して本体ケース５内へ浸入しようとした水滴は、引き込み溝１４、１４を介して下方へ導かれ、化粧パネル６ａと化粧パネル６ｂとの隙間等からインターホン子機１外方へ排出される。
【００１６】
以上のようなインターホン子機１における水抜き構造によれば、前ケース２に、スピーカ孔１６、１６・・の下端に連続して排出溝１７、１７・・を刻設しており、当該排出溝１７、１７・・によってスピーカ孔１６、１６・・に溜まろうとする水を下方へ導き、基板３ａ等に触れさせることなく、最終的にはインターホン子機１外方へ排出可能としている。したがって、スピーカ孔１６、１６・・を介して水が本体ケース５内へ浸入する事態や、化粧パネル６ｃと前ケース２との隙間に水が溜まる事態を防止することができ、防水性能の向上を図ることができる。さらに、排出溝１７、１７・・は化粧パネル６ｃによって覆われるため、インターホン子機１のデザイン性が損なわれたりもしない。
【００１７】
また、第２段部１２と設置凹部１９との境界に形成された段面２０に各排出溝１７と連続する小溝２１を凹設している。したがって、スピーカ孔１６、１６・・を有する第２段部１２の下方に設けた設置凹部１９内へ水を導くにあたり、排出溝１７、１７・・により第２段部１２の下端縁まで導かれてきた水をスムーズに設置凹部１９内へ導くことができ、化粧パネル６ｃと前ケース２との隙間に水が停溜する事態を、より確実に防止することができる。
さらに、設置凹部１９内の下部に開口部２４、２４を開設するとともに、本体ケース５の底面に水抜き孔８、８・・を開設しているため、水を排出する際に一旦は本体ケース５内を通過させるものの、各種基板等が設置されることのない本体ケース５底部のみを通過させるため、防水性が劣ることはない。加えて、従来使用されている後ケース４に前ケース２を組み付けても構成可能であり、汎用性に富む。
【００１８】
なお、本発明に係る電子機器における水抜き構造は、上記実施形態に記載の態様に何ら限定されるものではなく、電子機器に係る構成、及びスピーカ孔１６や排出溝１７、小溝２１等に係る構成を、本発明の趣旨を逸脱しない範囲で、必要に応じて適宜変更することができる。
【００１９】
たとえば、本発明に係る水抜き構造を、上記実施形態に記載のインターホン機器ではなく、図７に示すようなインターホン機器３１に適用することも可能である。
インターホン機器３１は、本体ケース３２の前面に化粧パネル３３が取り付けられてなるものであって、本体ケース３２にはスピーカ孔３４、３４・・が開設されているとともに、各スピーカ孔３４の下端に連続して排出溝３５が刻設されている。該排出溝３５は、上記実施形態に記載の排出溝１７同様、スピーカ孔３４に溜まろうとする水を引き込んで下方へ流すためのものであって、各スピーカ孔３４の下端から化粧パネル３３の下端縁、すなわち本体ケース３２の下端縁にわたって設けられている。尚、本体ケース３２に化粧パネル３３を取り付けると、排出溝３５、３５・・は化粧パネル３３により覆われるようになっている。
【００２０】
そして、当該インターホン機器３１においても、スピーカ孔３４に溜まろうとする水滴は排出溝３５内へ引き込まれ、本体ケース３２の下端からインターホン機器３１外方へ排出されることになる。したがって、化粧パネル３３と本体ケース３２との隙間やスピーカ孔３４内に水が溜まったりすることがなく、防水性能の向上を図ることができる。さらに、排出溝３５、３５・・は化粧パネル３３により覆われるため、排出溝３５、３５・・を設けることによりインターホン機器３１のデザイン性が劣化することもない。
【００２１】
また、上記実施形態では、設置凹部１９内に開口部２４を設け、本体ケース５の底部において一旦本体ケース５内を通して水を排出する構成としているが、設置凹部１９底面に、本体ケース５内部を通過させることなくインターホン子機１外方へ水を排出可能な排水孔を開設してもよい。当該構成を採用することで、防水性能の更なる向上を図ることができることは言うまでもない。
【００２２】
さらに、前ケース２に開設するスピーカ孔１６の数や形状、大きさ、設置位置等についても適宜変更可能であって、上記実施形態に記載のように化粧パネル６ｃに設ける報音孔１０と略同じとする必要はなく、スピーカ３の設置位置等に応じては報音孔１０よりも大きく形成してもよく、たとえ大きく形成したとしても排出溝１７、１７・・を設けてさえいれば、十分な防水性能を発揮することができる。
加えて、スピーカ孔を有するインターホン機器であれば、インターホン子機に何ら限定されることはなく、インターホン親機側に本発明に係る水抜き構造を採用することも当然可能である。
【図面の簡単な説明】
【００２３】
【図１】インターホン子機の外観を示した斜視説明図である。
【図２】インターホン子機の前ケースを前方側から示した斜視説明図である。
【図３】前ケースを後方側から示した斜視説明図である。
【図４】インターホン子機のスピーカ部分における左右方向での断面を下方から示した断面説明図である。
【図５】インターホン子機の段部近傍を拡大して示した斜視説明図である。
【図６】化粧パネルが取り付けられた状態におけるインターホン子機の段部近傍を拡大して示した斜視説明図である。
【図７】本発明の変更例を示した説明図である。
【符号の説明】
【００２４】
１・・インターホン子機（インターホン機器）、２・・前ケース、３・・スピーカ、３ａ・・基板、４・・後ケース、５・・本体ケース、６ａ、６ｂ、６ｃ・・化粧パネル、７・・呼出ボタン（ボタン）、８・・水抜き孔（排水孔）、１２・・第２段部、１６・・スピーカ孔、１７・・排出溝、１９・・設置凹部、２０・・段面（第１位置、設置凹部の上面）、２１・・小溝、２４・・開口部（排水孔）。
【図１】
0005107749.tif 000002
【図２】
0005107749.tif 000003
【図３】
0005107749.tif 000004
【図４】
0005107749.tif 000005
【図５】
0005107749.tif 000006
【図６】
0005107749.tif 000007
【図７】
0005107749.tif 000008